(57)【要約】 【課題】洗面ボウルの洗浄を簡単で確実に実施できる洗浄方法を提供することを目的とする。 【解決手段】  洗面ボウル２３の周縁部２３ａには漏斗形状の別体のマニホールド２５が組込まれ、その表面部２５ａは洗面ボウル２３の周縁部２３ａにおけるボウル内面２３ｂと略同じ表面形状で連続するように形成される。その表面部２５ａに第一の吐出口２７と第二の吐出口２８が設けられる。洗面ボウル２３用の洗浄水Ｐには洗剤を含有する水が用いられる。第一の吐出口２７は洗浄水Ｐを周縁部２３ａに沿って一方の周縁方向と他方の周縁方向に吐出するように２組設けられ、第二の吐出口２８は洗浄水Ｐを洗面ボウル２３の下方に向けて吐出するように第一の吐出口２７の下方近傍に３組設けられる。【選択図】  図１
2009079355.tif 000002
【特許請求の範囲】
【請求項１】
洗面化粧台等に備える洗面ボウルの洗浄方法であって、
前記洗面ボウルの洗浄水は洗剤を含有する水が用いられ、前記洗浄水は前記洗面ボウルの周縁部に設けられた第一の吐出口から前記周縁部に沿って少なくとも一方の周縁方向に吐出されることを特徴とする洗面ボウルの洗浄方法。
【請求項２】
請求項１に記載の洗面ボウルの洗浄方法であって、前記洗浄水は前記第一の吐出口の近傍に設ける第二の吐出口から前記洗面ボウルの下方に向けて吐出されることを特徴とする洗面ボウルの洗浄方法。
【請求項３】
請求項１又は請求項２に記載の洗面ボウルの洗浄方法であって、前記第一の吐出口と第二の吐出口は前記周縁部に別体で組込まれるマニホールドに設けられることを特徴とする洗面ボウルの洗浄方法。
【発明の詳細な説明】
【技術分野】
【０００１】
本発明は、洗面化粧台等に備える洗面ボウルの洗浄方法に関し、詳しくは、洗面ボウルを容易で確実に洗浄できる洗浄方法に関する。
【背景技術】
【０００２】
従来、洗面化粧台等に備える洗面ボウルの洗浄方法については、特許文献１に記載の内容が知られている。
【０００３】
この特許文献１によれば、図３に示すように、洗面器１は、洗面ボウル２と、リム吐水口３と、水栓４と、リム吐水口３からの吐水量の調整を行なうリム吐水ノブ５と、水栓４からの吐水量の調整を行なう水栓ノブ６とから構成される。また、洗面ボウル２は、リム吐水口３から吐出した洗浄水を案内する導水路７と、導水路７から分かれた分流洗浄水を案内する分流洗浄水導水路８と排出口９から構成される。
【０００４】
この洗面器１においては、水栓ノブ６を操作して水栓４から吐水して使用した後に、洗面ボウル２を洗浄するためリム吐水ノブ５を操作してリム吐水口３から吐水して、導水路７によって洗浄水をボウル部２の上部側面に沿って流すとともに、適宜、分流洗浄水導水路８に洗浄水を流してボウル部２を洗浄することができる。
【特許文献１】特開２００２−２８２１４７号公報
【発明の開示】
【発明が解決しようとする課題】
【０００５】
ところが、洗面ボウル２にリム吐水口３から吐出した洗浄水を案内する導水路７や分流洗浄水導水路８を設ける必要があるので、洗面ボウル２の製作が複雑になりコスト高に繋がるという問題があった。
【０００６】
また、洗浄水だけでは洗面ボウル２の汚れが確実に洗浄できないので、洗面ボウル２に洗剤を掛けたりスポンジに洗剤をふくませて洗面ボウル２を擦って洗う必要がある。ところが、所定の場所にスポンジと洗剤が用意されていない場合には、それらを取りに行く手間が不便なため洗浄を省いてしまうことになって洗面ボウル２に汚れが蓄積し易いという問題があった。
【０００７】
そこで、本発明は上記問題を解決して、洗面ボウルの洗浄を簡単で確実に実施できる洗面ボウルの洗浄方法を提供することを目的とする。
【課題を解決するための手段】
【０００８】
請求項１の発明は、洗面化粧台等に備える洗面ボウルの洗浄方法であって、前記洗面ボウルの洗浄水は洗剤を含有する水が用いられ、前記洗浄水は前記洗面ボウルの周縁部に設けられた第一の吐出口から前記周縁部に沿って少なくとも一方の周縁方向に吐出されることを特徴としている。
【０００９】
請求項２の発明は、請求項１に記載の洗面ボウルの洗浄方法であって、前記洗浄水は前記第一の吐出口の近傍に設ける第二の吐出口から前記洗面ボウルの下方に向けて吐出されることを特徴としている。
【００１０】
請求項３の発明は、請求項１又は請求項２に記載の洗面ボウルの洗浄方法であって、前記第一の吐出口と第二の吐出口は前記周縁部に別体で組込まれるマニホールドに設けられることを特徴としている。
【発明の効果】
【００１１】
請求項１の発明によれば、前記洗面ボウルの洗浄水は洗剤を含有する水が用いられるので、水による洗浄に比べて確実に洗浄効果が向上する。また、前記洗浄水は前記洗面ボウルの周縁部に設けられた第一の吐出口から前記周縁部に沿って少なくとも一方の周縁方向に吐出されるので、洗浄水は前記洗面ボウルの周縁部に沿ってボウル内面を覆うように旋回しながら下降して洗面ボウルの底部に備える排出口から流出するので、ボウル内面を容易且つ確実に洗浄できる。さらに、洗面ボウルに洗浄水を案内する導水路を設けないので洗面ボウルの製作コストを下げることができる。
【００１２】
請求項２の発明によれば、前記洗浄水は前記第一の吐出口の近傍に設ける第二の吐出口から前記洗面ボウルの下方に向けて吐出されるので、第二の吐出口からの洗浄水によって前記第一の吐出口の下方における洗浄不足領域を補うことができるので、請求項１の発明の効果をさらに向上させることができる。
【００１３】
請求項３の発明によれば、前記第一の吐出口と第二の吐出口は前記周縁部に別体で組込まれるマニホールドに組込むので、洗面ボウルの構造が容易になり製作コストを下げることができる。
【発明を実施するための最良の形態】
【００１４】
以下に、本発明の実施形態を図１、図２に基づいて説明する。
＜洗面ボウルの洗浄方法の構成＞  
【００１５】
図１、図２に示すように、洗面化粧台２１の頂面２２に洗面ボウル２３が備えられ、洗面ボウル２３には図示しない水栓が配置される。本発明の洗面ボウル２３の洗浄方法は洗面ボウル２３の使用後の洗浄方法であり、洗面ボウル２３用の洗浄水Ｐには洗剤を含有する水が用いられる。
【００１６】
洗面ボウル２３の周縁部２３ａには漏斗形状の別体のマニホールド２５が組込まれ、その表面部２５ａは洗面ボウル２３の周縁部２３ａにおけるボウル内面２３ｂと略同じ表面形状で連続するように形成され、その表面部２５ａに第一の吐出口２７と第二の吐出口２８が設けられる。ここで、洗面ボウル２３の底部に排水を下水管に導くための排出口２３ｃが設けられる。
【００１７】
第一の吐出口２７は洗浄水Ｐを周縁部２３ａに沿って一方の周縁方向と他方の周縁方向に吐出するように２組設けられる。第二の吐出口２８は２組の第一の吐出口２７の下方近傍に３組設けられ、洗浄水Ｐを洗面ボウル２３の下方に向けて吐出することができる。
【００１８】
ここで、洗浄水Ｐを圧送するための洗浄水圧送装置３０は、洗浄水タンク３１と、洗浄水タンク３１から配管３２を介してマニホールド２５に洗浄水Ｐを圧送するポンプ３３と、ポンプ制動電源スイッチ３４とから成る。また、洗浄水タンク３１とマニホールド２５間に配管３２を開閉する電磁弁３５を備える。ポンプ３３と電磁弁３５はポンプ制動電源スイッチ３４と電線３６で結線され、図示しない電気制御回路によってポンプ３３と電磁弁３５のＯＮ／ＯＦＦは同期する。
【００１９】
洗浄水タンク３１は直方体形状で頂部３１ａに洗浄水Ｐの充填用の充填筒３１ｂが設けられ充填筒３１ｂにはキャップ３１ｄを備える。底部３１ｃに配管３２が連結される。
【００２０】
洗面化粧台２１の頂面２２の表面にキャップ３１ｄを備えた充填筒３１ｂの上端部とポンプ制動電源スイッチ３４が露出配置されるが、それ以外の洗浄水圧送装置３０は洗面化粧台２１の内部に収納配置される。
【００２１】
洗面ボウル２３は陶器、ホーロー鋼板、樹脂成形品等で形成され、洗浄水タンク３１とマニホールド２５と配管３２の材質は樹脂又はステンレス等の錆びない金属、或いは鋼材にメッキ処理した材料が用いられる。
＜洗面ボウルの洗浄方法の作用＞
【００２２】
図１に示すように、使用者が洗面ボウル２３を洗浄する際にポンプ制動電源スイッチ３４を操作するとポンプ２３が作動して洗浄水タンク３１の洗浄水Ｐが配管３２によってマニホールド２５に圧送され、二組の第一の吐出口２７から吐出した洗浄水Ｐは周縁部２３ａに沿って一方と他方の周縁方向にそれぞれ吐出されるので、洗浄水Ｐはボウル内面２３ｂ全域を覆うように旋回しながら下降するので、ボウル内面２３ｂを容易且つ確実に洗浄できる。
【００２３】
なお、洗浄水タンク３１とマニホールド２５間には配管３２を開閉する電磁弁３５を備え、電磁弁３５はポンプ制動電源スイッチ３４に連動して開閉するので、洗浄水タンク３１の洗浄水Ｐの水面が第一の吐出口２７又は第二の吐出口２８より高い場合、ポンプ３３の停止時に洗浄水Ｐがポンプ３３からリークして洗面ボウル２３側に漏れることを防ぐことができる。
【００２４】
ポンプの停止は設定時間後に自動停止する回路を組んでも良いし、ポンプ制動電源スイッチに連動してＯＮ／ＯＦＦ作動させても良い。
【００２５】
洗面ボウルの洗浄水には洗剤を含有する水が用いられるので水による洗浄に比べて確実且つ格段に洗浄効果が向上し、スポンジ不使用で自動洗浄ができる。
【００２６】
なお、洗浄水による洗浄後に洗面ボウルに覆われる洗浄水の残り膜を水栓からの水で洗い流してもよい。
【００２７】
以上、本発明の実施例を図面に基づいて説明したが、具体的な構成はこの実施例に限られるものではなく本発明の要旨を逸脱しない範囲の設計変更等があっても本発明に含まれる。
【００２８】
たとえば、第一の吐出口は洗浄水を周縁部に沿って一方の周縁方向のみに吐出するために１組だけ設けても構わない。
【００２９】
洗面ボウル２３の周縁部２３ａに別体のマニホールド２５を組込む代わりに、ボウル内面２３ｂに直接第一の吐出口２７と第二の吐出口２８を設けてもよい。
【００３０】
洗面ボウルの周縁部の対向する位置に二組のマニホールドを設けて洗浄水タンクから各マニホールドまで別々の配管で導くと、一組のマニホールドから吐出する洗浄水はボウル内面の半周領域をカバーすればよいので洗浄水はさらに確実にボウル内面を覆うことができるので洗浄効果が向上する。
【図面の簡単な説明】
【００３１】
【図１】本発明の実施形態における、洗面ボウル２３に組込まれたマニホールド２５に設けられた第一の吐出口２７と第二の吐出口２８から洗浄液Ｐを吐出して洗面ボウル２３を洗浄する状態を示す斜視図である。
【図２】本発明の実施形態における、洗浄水圧送装置３０の構成図である。
【図３】従来例における、リム吐水口３から吐出した洗浄水を案内する導水路７を備える洗面器１の斜視図である。
【符号の説明】
【００３２】
２３  洗面ボウル
２３ａ  周縁部
２３ｂ  ボウル内面
２５  マニホールド
２５ａ  表面部
２７  第一の吐出口
２８  第二の吐出口
３０  洗浄水圧送装置
３１  洗浄水タンク
３２  配管
３３  ポンプ
３４  ポンプ制動電源スイッチ
Ｐ  洗浄水
【図１】
2009079355.tif 000003
【図２】
2009079355.tif 000004
【図３】
2009079355.tif 000005